(57)【要約】  この発明は、現在のシンクストレーナーの詰まり問題を解決する。この新しいデザインは、排水口と残滓沈下領域とを持つ。図７のコンセプトデザインを参照。排水口はシンク面の上方にデザインされ、残滓沈下領域はそのシンク面の下方にある。残滓は、水がストレーナーを流れるときに、残滓沈下領域で最終的に沈下する。排水口は、それがシンク面の上方にあるように、残滓によって覆われることはない。これらの２つの特徴によって詰まりがなくなる。
2009517572.tif 000002
【特許請求の範囲】
【請求項１】
本発明には、２つの主要な特徴がある。
【請求項２】
第１の特徴は、残滓の沈下を防止し、排水口を残すシンク面の上方のフィルター（つまり、孔付領域）部分である。図５参照。
【請求項３】
第２の特徴は、残滓が第１の特徴を妨げないように残滓の沈下を許すシンク面の下方のフィルター（つまり、孔付領域）部分である。図６参照。
【請求項４】
ストレーナーは、どのような形態も採ることができる。上記特徴を備える限り、それは請求項に含まれる。
【発明の詳細な説明】
【背景技術】
【０００１】
１．  現在、市販されているシンクストレーナーは、シンク面より低くデザインされている。図１参照。
２．  このデザインは、問題がある。これは、残滓が最終的に沈下して、ストレーナーを覆ったときに、シンクを詰まらせる。図２参照。
３．  新しいデザインでは、ストレーナーは、シンク面の上方にある。図３参照。
４．  シンク面の上方にある部分は、残滓によって覆われず、水を逃れさせる排水口を残し、最終的にシンクの詰まりを防止する。図４参照。
【発明を実施するための最良の形態】
【０００２】
図１はシンクストレーナーの現在のデザインを示す。
図２は現在のデザインの問題を示す。
図３は本発明の主要な特徴を示す。
図４は本発明の結果を示す。
図５はデザインの第１の特徴を示す。
図６はデザインの第２の特徴を示す。
図７は本発明のコンセプトデザインを示す。
【図面の簡単な説明】
【０００３】
【図１】シンクストレーナーの現在のデザインを示す。
【図２】現在のデザインの問題を示す。
【図３】本発明の主要な特徴を示す。
【図４】本発明の結果を示す。
【図５】デザインの第１の特徴を示す。
【図６】デザインの第２の特徴を示す。
【図７】本発明のコンセプトデザインを示す。
【図１】
2009517572.tif 000003
【図２】
2009517572.tif 000004
【図３】
2009517572.tif 000005
【図４】
2009517572.tif 000006
【図５】
2009517572.tif 000007
【図６】
2009517572.tif 000008
【図７】
2009517572.tif 000009
【手続補正書】
【提出日】平成18年10月3日(2006.10.3)
【手続補正１】
【補正対象書類名】特許請求の範囲
【補正対象項目名】全文
【補正方法】変更
【補正の内容】
【特許請求の範囲】
【請求項１】
本発明は、詰まり無し（反詰まり）解決手法を達成するためのデザインにおける２つの特徴を結合する。これらの特徴は、以下の通りである。
Ａ．特徴１：
第１の特徴は、残滓の沈下を防止し、排水口を残すシンク面の上方のフィルター（つまり、孔付領域）部分である。図５参照。
Ｂ．特徴２：
第２の特徴は、残滓が第１の特徴を妨げないように残滓の沈下を許すシンク面の下方のフィルター（つまり、孔付領域）部分である。図６参照。
ストレーナーデザインが上記２つの特徴を１つにして構成されている限り、形態にかかわらず、それは請求項に含まれる。他の形態のサンプルデザインのための図８，９および１０参照。
【手続補正書】
【提出日】平成18年10月5日(2006.10.5)
【手続補正１】
【補正対象書類名】特許請求の範囲
【補正対象項目名】全文
【補正方法】変更
【補正の内容】
【特許請求の範囲】
【請求項１】
本発明は、詰まり無し（反詰まり）解決手法を達成するためのデザインにおける２つの特徴を結合する。これらの特徴は、以下の通りである。
Ａ．特徴１：
第１の特徴は、残滓の沈下を防止し、排水口を残すシンク面の上方のフィルター（つまり、孔付領域）部分である。図５参照。
Ｂ．特徴２：
第２の特徴は、残滓が第１の特徴を妨げないように残滓の沈下を許すシンク面の下方のフィルター（つまり、孔付領域）部分である。図６参照。
ストレーナーデザインが上記２つの特徴を１つにして構成されている限り、形態にかかわらず、それは請求項に含まれる。他の形態のサンプルデザインのための図８，９および１０参照。
【手続補正２】
【補正対象書類名】明細書
【補正対象項目名】全文
【補正方法】変更
【補正の内容】
【書類名】明細書
【背景技術】
【０００１】
１．  現在、市販されているシンクストレーナーは、シンク面より低くデザインされている。図１参照。
２．  このデザインは、問題がある。これは、残滓が最終的に沈下して、ストレーナーを覆ったときに、シンクを詰まらせる。図２参照。
３．  新しいデザインでは、ストレーナーは、シンク面の上方にある。図３参照。
４．  シンク面の上方にある部分は、残滓によって覆われず、水を逃れさせる排水口を残し、最終的にシンクの詰まりを防止する。図４参照。
【発明を実施するための最良の形態】
【０００２】
図１はシンクストレーナーの現在のデザインを示す。
図２は現在のデザインの問題を示す。
図３は本発明の主要な特徴を示す。
図４は本発明の結果を示す。
図５はデザインの第１の特徴を示す。
図６はデザインの第２の特徴を示す。
図７は本発明の主要な特徴を示す。
図８は他のデザインを示す。
図９は他のデザインを示す。
図１０は他のデザインを示す。
【図面の簡単な説明】
【０００３】
【図１】シンクストレーナーの現在のデザインを示す。
【図２】現在のデザインの問題を示す。
【図３】本発明の主要な特徴を示す。
【図４】本発明の結果を示す。
【図５】デザインの第１の特徴を示す。
【図６】デザインの第２の特徴を示す。
【図７】本発明のコンセプトデザインを示す。
【図８】他のデザインを示す。
【図９】他のデザインを示す。
【図１０】他のデザインを示す。
【手続補正３】
【補正対象書類名】図面
【補正対象項目名】全図
【補正方法】変更
【補正の内容】
【図１】
2009517572.tif 000010
【図２】
2009517572.tif 000011
【図３】
2009517572.tif 000012
【図４】
2009517572.tif 000013
【図５】
2009517572.tif 000014
【図６】
2009517572.tif 000015
【図７】
2009517572.tif 000016
【図８】
2009517572.tif 000017
【図９】
2009517572.tif 000018
【図１０】
2009517572.tif 000019
【手続補正書】
【提出日】平成20年10月21日(2008.10.21)
【手続補正１】
【補正対象項目名】手続補正２
【補正方法】変更
【補正の内容】
【手続補正２】
【補正対象書類名】明細書
【補正対象項目名】全文
【補正方法】変更
【補正の内容】
【発明の詳細な説明】
【背景技術】
【０００１】
１．  現在、市販されているシンクストレーナーは、シンク面より低くデザインされている。図１参照。
２．  このデザインは、問題がある。これは、残滓が最終的に沈下して、ストレーナーを覆ったときに、シンクを詰まらせる。図２参照。
３．  新しいデザインでは、ストレーナーは、シンク面の上方にある。図３参照。
４．  シンク面の上方にある部分は、残滓によって覆われず、水を逃れさせる排水口を残し、最終的にシンクの詰まりを防止する。図４参照。
【発明を実施するための最良の形態】
【０００２】
図１はシンクストレーナーの現在のデザインを示す。
図２は現在のデザインの問題を示す。
図３は本発明の主要な特徴を示す。
図４は本発明の結果を示す。
図５はデザインの第１の特徴を示す。
図６はデザインの第２の特徴を示す。
図７は本発明の主要な特徴を示す。
図８は他のデザインを示す。
図９は他のデザインを示す。
図１０は他のデザインを示す。
【図面の簡単な説明】
【０００３】
【図１】シンクストレーナーの現在のデザインを示す。
【図２】現在のデザインの問題を示す。
【図３】本発明の主要な特徴を示す。
【図４】本発明の結果を示す。
【図５】デザインの第１の特徴を示す。
【図６】デザインの第２の特徴を示す。
【図７】本発明のコンセプトデザインを示す。
【図８】他のデザインを示す。
【図９】他のデザインを示す。
【図１０】他のデザインを示す。
【国際調査報告】
2009517572.tif 000020
2009517572.tif 000021
2009517572.tif 000022